【事件の表示】
　特許第２７６５９０９号「田植機」の特許に対する特許異議の申し立てについて、次のとおり決定する。
【結　論】
　訂正を認める。
　特許第２７６５９０９号の特許を維持する。
【理　由】
１．手続の経緯
　本件特許第２７６５９０９号は、平成１年１月２０日に出願された特願平１−１２７７９号の出願に係り、平成１０年４月３日に設定登録がなされ、その後、特許異議の申立てが、ヤンマー農機株式会社（以下、申立人という。）よりなされ、取消理由が通知され、その指定期間内に訂正請求がなされものである。
　
２.訂正の適否のついての判断
(2-1)訂正の内容
　本件訂正の趣旨は、本件特許の明細書を訂正請求書に添付した訂正明細書のとおり訂正することを求めるにあり、その訂正の要旨は、前記訂正請求書の「７．請求の理由」の「(3)訂正の要旨」の項に記載されたとおりであり、つぎのように訂正しようとするものである。
(1)本件特許明細書（平成９年１２月２６日付け手続補正書）の特許請求の範囲の請求項１を、
『薬剤を貯留するホッパ（１３）と、前記ホッパ（１３）から薬剤を繰出す繰出し機構（１４）と、繰出された薬剤を回転によって飛散させる回転体（３３）と、前記回転体（３３）によって飛散された薬剤を拡散させて圃場面に落下案内す
るガイド部材（１５）とを備えて構成された薬剤散布装置（５）を備え、
　植付条に対応した複数の植付機構（９）と、一部の植付機構（９）のみが駆動される部分条植付け状態及び全ての植付機構（９）が駆動される全条植付け状態とに切換操作自在なクラッチ機構（Ｃ）と、前記クラッチ機構（Ｃ）を人為的に切換操作する人為操作具（１２）とを備えると共に、
　前記人為操作具（１２）による前記クラッチ機構（Ｃ）の部分条植付け状態への切換操作に伴って、前記全条植付け状態での薬剤の繰出し量よりも、前記部分条植付け状態での薬剤の繰出し量が
少なくなり、且つ、駆動される植付機構（９）側に前記回転体（３３）によって薬剤が飛散されるように
　(2)上記本件特許明細書の第２頁第２６行（本件特許公報第３欄第３８〜３９行）の「少なくなるように」を、『少なくなり、且つ、駆動される植付機構側に回転体によって薬剤が飛散されるように』と訂正する。
　
(2-2)訂正の目的の適否、新規事項の有無及び拡張、変更の存否
　上記訂正(1)は、本件特許明細書の第５頁第２６行〜第６頁第６行（本件特許公報第６欄第１３〜２５行）、第１０図、及び、第１１図に実施例２として記載されており、本件特許明細書の請求項１に記載された「人為操作具（１２）による前記クラッチ機構（Ｃ）の部分条植付け状態」を、下位概念である「全条植付け状態での薬剤の繰出し量よりも、前記部分条植付け状態での薬剤の繰出し量が少なくなり、且つ、駆動される植付機構（９）側に前記回転体（３３）によって薬剤が飛散される」状態に限定するものであるから、特許請求の範囲の減縮を目的とする。
　上記訂正(2)は、前記訂正された特許請求の範囲の記載と発明の詳細な説明の記載とを整合させるもので、明りょうでない記載の釈明を目的とする。
　また、上記訂正(1)、(2)は、願書に添付した明細書又は図面に記載された事項の範囲内においてなされたものであるから、新規事項の追加に該当せず、また、実質上特許請求の範囲を拡張し変更するものでもない。
　
(2-3)独立特許要件
　当審が通知した前記取消理由は、訂正前の本件特許の発明が下記刊行物１〜３に記載された発明に基づいて当業者が容易に発明をすることができたものであるから、本件特許は、特許法第２９条第２項の規定に違反してされたというものである。
　　　　　　　　　記　
刊行物１：実願昭６２‐１０２１８５号（実開昭６４‐６８１５）のマイクロフィルム（甲第１号証）
刊行物２：特開昭５７‐１９８０１４号公報（甲第２号証）
刊行物３：特公昭４８‐２７７６４号公報（甲第３号証）
　
　刊行物１には、「薬剤を貯留するホッパ（１３）と、前記ホッパ（１３）から薬剤を流す開閉蓋（１５）と、流入する薬剤を回転によって飛散させる撒布ファン（１７）とを備えて構成された薬剤撒布機（１０）を備えている乗用型田植機。」が記載されている。
　刊行物２には、「肥料を貯留するホッパ（３４）と、前記ホッパ（３４）から肥料を繰出す繰出装置（３５）とを備えて構成された施肥装置（３３）を備え、植付条に対応した複数の苗植付装置（１０）と、一部の苗植付装置（１０）のみが駆動される部分条植付け状態及び全ての苗植付装置（１０）が駆動される全条植付け状態とに切換操作自在なクラッチ（１９）と、前記クラッチ（１９）を人為的に切換操作するクラッチレバー（４０ａ）、（４０ｂ）とを備えると共に、前記クラッチレバー（４０ａ）、（４０ｂ）による前記クラッチ（１９）の部分条植付け状態への切換操作に伴って、前記全条植付け状態での肥料の繰出し量よりも、前記部分条植付け状態での肥料の繰出し量が少なくなるように連係してある田植機。」が記載され、第２頁右下欄第５〜１１行には、「繰出された肥料を田植装置(１０)の整地フロ−ト(１１)上部近傍まで流下移送させるホース(３６)と、更に土壌中下部が没して一定深さに作溝する作溝器(３７ａ)とこの作溝器(３７ａ)に取付けられていて作溝内に施肥するパイプ(３７ｂ)とからなる施肥器(３７)とから構成されている。」と記載されている。
　刊行物３には、「スピンナ−と、前記スピンナ−によって飛散された肥料等を拡散させて圃場面に落下案内する横長の覆幕（１２）を備えた肥料等の散布装置。」　
が記載されている。
　
　訂正後の本件特許明細書の特許請求の範囲【請求項１】に記載された発明（以下、訂正発明という。）と上記刊行物１記載の発明とを対比すると、少なくとも、訂正発明が、(a)「前記人為操作具（１２）による前記クラッチ機構（Ｃ）の部分条植付け状態への切換操作に伴って、前記全条植付け状態での薬剤の繰出し量よりも、前記部分条植付け状態での薬剤の繰出し量が少なくなり、且つ、駆動される植付機構（９）側に前記回転体（３３）によって薬剤が飛散されるように連係してある」のに対して、刊行物１は、訂正発明の上記(a)の構成について記載されていない。すなわち、刊行物１には、回転体による薬剤の散布装置が記載されているものの、苗の部分植付け状態で回転体の薬剤の飛散方向を選択することについては、記載されていない。
　上記相違点(a)を検討するために、上記刊行物２記載の発明をみると、刊行物２記載の発明は、それぞれの田植装置（１０）の近傍の土壌中下部の一カ所に肥料を滴下するものであり、「苗の部分条植付け状態では、駆動される植付け装置近傍の土中に施肥し、駆動を停止した植付け装置近傍には施肥されない」というように、特定の位置に被散布物を散布するものであって、飛散方向が選択できないものである。これに対して、訂正発明は、被散布物が肥料ではなく薬剤であることも相まって、苗の部分条植付け状態では「駆動される植付機構（９）側に前記回転体（３３）によって薬剤が飛散される」ものであって、一カ所に被散布物を滴下するものではなく、被散布物の飛散方向を選択できるものであるから、刊行物２記載の発明を刊行物１記載の発明に適用しても、訂正発明の上記(a)の構成を備える構成にはなりえず、訂正発明の上記(a)のように構成することが当業者にとって容易になしうることとは認められない。
　また、上記相違点(a)を検討するために、上記刊行物３をみると、同刊行物には、「スピンナ−と、前記スピンナ−によって飛散された肥料等を拡散させて圃場面に落下案内する横長の覆幕(12)を備えた肥料等の散布装置」が記載されており、訂正発明の回転体(33)とガイド部材(15)に相当するものが記載されているものの、訂正発明のように「部分条植付け状態において、全条植付け状態での薬剤の繰出し量よりも、部分条植付け状態での薬剤の繰出し量が少なくなり、且つ、駆動される植付機構側に前記回転体によって薬剤が飛散されるようにしたもの」ではなく、被散布物の飛散方向が選択できないものである。したがって、上記刊行物１に上記刊行物３記載の発明を適用しても、訂正発明の上記(a)の構成を備える構成にはなりえず、訂正発明の上記(a)のように構成することが当業者にとって容易になしうることとは認められない。
　上記のとおり、上記刊行物１〜３にはいずれにも上記(a)の構成が記載されておらず、上記刊行物１〜３記載の発明を組み合わせたとしても訂正発明の構成にはなりえないから、訂正発明は、上記刊行物１〜３記載の発明に基づいて当業者が容易に発明できたものとは認められず、本件特許出願の際独立して特許を受けることができないものとすることはできない。
　
(2-4)むすび
　以上のとおりであるから、本件訂正請求は、特許法１２０条の４第２項ただし書き及び同条第３項の規定により準用する第１２６条第２〜４項の訂正に関する規定が、平成６年法律第１１６号附則第６条第１項の規定によりなお従前の例によるとされることから適用される、平成５年特許法第１２６条第１項ただし書き、第２項、及び、同条第３項の規定に適合するので、当該訂正は認められる。
　
３.特許異議の申立てについて
　本件発明は、上記「(2-1)訂正の内容」の「(1)」に記載したとおり、訂正明細書の特許請求の範囲の請求項１に記載した事項により特定されるとおりのものである。。
　申立人の特許異議の申立ては、訂正前の本件発明が本件出願前に頒布された甲第１号証〜甲第３号証（上記刊行物１〜３に対応）記載の発明に基づいて当業者が容易に発明をできたものであり、本件特許が特許法第２９条第２項の規定に違反してされたというものである。
　しかしながら、上記「(2-3)独立特許要件」の項において検討したように、本件発明が甲第１号証〜甲第３号証記載の発明に基づいて当業者が容易に発明できたものとはいえない。
　
４.むすび
　以上のことから、申立人の申立ての理由及び提出した証拠方法によっては、本件特許を取り消すことができない。
　また、他に本件特許を取り消すべき理由を発見しない。
　よって、結論のとおり決定する。
【異議決定日】
平成１２年１月２７日（２０００．１．２７）
【訂正の要旨】
訂正の要旨
　本件特許第２７６５９０９号発明の明細書を、訂正明細書のとおり次のように訂正する。
　　　　　　　　　　　　　　　　　記
（１）【特許請求の範囲】を、特許請求の範囲の減縮を目的として、
『薬剤を貯留するホッパ（１３）と、前記ホッパ（１３）から薬剤を操出す繰出し機構（１４）と、繰出された薬剤を回転によって飛散させる回転体（３３）と、前記回転体（３３）によって飛散された薬剤を拡散させて圃場面に落下案内するガイド部材（１５）とを備えて構成された薬剤散布装置（５）を備え、
　植付条に対応した複数の植付機構（９）と、一部の植付機構（９）のみが駆動される部分条植付け状態及び全ての植付機構（９）が駆動される全条植付け状態とに切換操作自在なクラッチ機構（Ｃ）と、前記クラッチ機構（Ｃ）を人為的に切換操作する人為操作具（１２）とを備えると共に、
　前記人為操作具（１２）による前記クラッチ機構（Ｃ）の部分条植付け状態への切換操作に伴って、前記全条植付け状態での薬剤の繰出し量よりも、前記部分条植付け状態での薬剤の操出し量が
少なくなり、且つ、駆動される植付機構（９）側に前記回転体（３３）によって薬剤が飛散されるように
（２）明細書の第２頁第２６行（本件特許公報第３欄第３８行〜第３９行）の「少なくなるように」を、不明りょうな記載の釈明を目的として、
『少なくなり、且つ、駆動される植付機構側に回転体によって薬剤が飛散されるように』と訂正する。
（５４）【発明の名称】
田植機
（５７）【特許請求の範囲】
　薬剤を貯留するホッパ（１３）と、前記ホッパ（１３）から薬剤を繰出す繰出し機構（１４）と、繰出された薬剤を回転によって飛散させる回転体（３３）と、前記回転体（３３）によって飛散された薬剤を拡散させて圃場面に落下案内するガイド部材（１５）とを備えて構成された薬剤散布装置（５）を備え、
　植付条に対応した複数の植付機構（９）と、一部の植付機構（９）のみが駆動される部分条植付け状態及び全ての植付機構（９）が駆動される全条植付け状態とに切換操作自在なクラッチ機構（Ｃ）と、前記クラッチ機構（Ｃ）を人為的に切換操作する人為操作具（１２）とを備えると共に、
　前記人為操作具（１２）による前記クラッチ機構（Ｃ）の部分条植付け状態への切換操作に伴って、前記全条植付け状態での薬剤の繰出し量よりも、前記部分条植付け状態での薬剤の繰出し量が
少なくなり、且つ、駆動される植付機構（９）側に前記回転体（３３）によって薬剤が飛散されるように
【発明の詳細な説明】
　［産業上の利用分野］
　本発明は田植機において、苗の植え付けと同時に圃場面に薬剤を散布する薬剤散布装置を装備する場合の構成に関する。
　［従来の技術］
　田植機に装備される薬剤散布装置としては、薬剤を貯留するホッパ、ホッパから薬剤を繰出す繰出し機構、繰出された薬剤を回転によって飛散させる回転体、回転体によって飛散された薬剤を拡散させて圃場面に落下案内するガイド部材を備えて構成されたものがある。これにより、苗の植え付けと同時に、回転体によって飛散された薬剤が、ガイド部材によって拡散されながら圃場面に散布されていく。
　［発明が解決しようとする課題］
　田植機の苗植付装置においては一般に、複数の植付機構のうちの一部の植付機構のみが駆動される部分条植付け状態、及び全ての植付機構が駆動される全条植付け状態に切換操作自在なクラッチ機構、このクラッチ機構を人為的に切換操作する人為操作具を備えているものが多くあり、作業者が人為操作具を操作することによって、部分条植付け状態及び全条植付け状態を設定する。
　この場合、薬剤散布装置の繰出し機構において、薬剤の繰出し量を全条植付け状態に対応するように設定しておくと、部分条植付け状態を設定した状態で苗の植付作業を行う際に、圃場面への薬剤の散布量が多くなり過ぎることがあるので、薬剤散布装置の繰出し機構において、薬剤の繰出し量を変更操作できるように構成する必要がある。
　本発明は田植機に薬剤散布装置を装備した際に、薬剤散布装置の繰出し機構において薬剤の繰出し量を変更操作できるように構成した場合、薬剤の繰出し量の変更操作が簡単に、且つ忘れられることなく行えるように構成することを目的としている。
［課題を解決するための手段］
　本発明の特徴は以上のような田植機において、次のように構成することにある。
　薬剤を貯留するホッパと、ホッパから薬剤を繰出す繰出し機構と、繰出された薬剤を回転によって飛散させる回転体と、回転体によって飛散された薬剤を拡散させて圃場面に落下案内するガイド部材とを備えて構成された薬剤散布装置を備え、
　植付条に対応した複数の植付機構と、一部の植付機構のみが駆動される部分条植付け状態及び全ての植付機構が駆動される全条植付け状態とに切換操作自在なクラッチ機構と、クラッチ機構を人為的に切換操作する人為操作具とを備えると共に、
　人為操作具によるクラッチ機構の部分条植付け状態への切換操作に伴って、全条植付け状態での薬剤の繰出し量よりも、部分条植付け状態での薬剤の繰出し量が
少なくなり、且つ、駆動される植付機構側に回転体によって薬剤が飛散されるように
［作　用］
　請求項１．の特徴によると、作業者が人為操作具を操作して部分条植付け状態を設定すると、この操作に連動して部分条植付け状態での薬剤の繰出し量が、全条植付け状態での薬剤の繰出し量よりも自動的に少なくなる。これにより、部分条植付け状態において薬剤の繰出し量が、全条植付け状態よりも少ない状態に、忘れられることなく設定されるのであり、作業者も前述の人為操作具の操作とは別に薬剤の繰出し量を調節すると言う操作を行う必要がない。
［発明の効果］
　請求項１．の特徴によると、田植機において薬剤散布装置を装備した場合、植付機構のクラッチ機構を、人為操作具によって部分条植付け状態に切換操作すると言う既存の操作により、自動的に薬剤の繰出し量が少なくなるように構成することによって、部分条植付け状態において適切な散布量で薬剤が散布されるようになり、部分条植付け状態で薬剤が散布され過ぎると言う状態を未然に防止することができて、作業性を向上させることができた。
　人為操作具による一つの操作によって、部分条植付け状態への切換操作、並びに、薬剤の繰出し量の変更操作の両方が行われるので、作業者にとって操作性の良いものとなった。
［実施例］
　以下、本発明の実施例を図面に基づいて説明する。
　第８図に本発明に係る乗用型の田植機を示している。この田植機は乗用型の走行機体（１）の後部に、昇降駆動されるリンク機構（２）を介して苗植付装置（３）を連結し、苗植付装置（３）の後部に施肥装置（４）を取り付け、施肥装置（４）の後方に薬剤散布装置（５）を備えて構成されている。
　苗植付装置（３）は第５図及び第６図に示すように、苗を載置する後下り傾斜姿勢の苗のせ台（６）を、フレーム兼用の植付伝動ケース（７）に一定ストロークで往復横移動自在に取り付け、植付伝動ケース（７）から後方に向けて一体に延出した３個のチェーンケース（８）の後部両側に植付機構（９）を備えて、６条植付け型式に構成されている。
　チェーンケース（８）の後部の横軸芯（Ｘ１）周りで回転駆動される回転ケース（１０）の両端に植付爪（１１）を備え、回転ケース（１０）の回転に伴い植付爪（１１）が楕円軌跡を描きながら苗を切り出して圃場に植え付けるように、植付機構（９）が構成されている。第５図及び第７図に示すように植付伝動ケース（７）及びチェーンケース（８）に、植付機構（９）に対する動力を各別に断続するクラッチ機構（Ｃ）が内装されて、各クラッチ機構（Ｃ）の人切操作を、苗のせ台（６）の前面側に配置した各条クラッチレバー（１２）（人為操作具に相当）の操作により行うように構成されており、一部の植付機構（９）が駆動される部分条植付け状態と、全ての植付機構（９）が駆動される全条植付け状態とに切換操作可能に構成されている。
　第５，６，７図に示すように薬剤散布装置（５）は、中央上部に粉粒状の薬剤を貯留するホッパ（１３）、ホッパ（１３）の下方に所定量の薬剤を繰出す繰出し機構（１４）を備えており、繰出された薬剤を略全ての植付条に拡散させるように、横方向に長く延出されて下方が開放された略箱形状のガイド部材（１５）を備えて構成されている。チェーンケース（８）の後部から延出された支持フレーム（１６）に、薬剤散布装置（５）が連結されており、第９図に示すようにガイド部材（１５）において、旋回時の最外側軌跡よりも内側に、ガイド部材（１５）の側端が位置するように設定されている。
　第１，２，３図に示すようにホッパ（１３）の下方に、薬剤通過用の透孔（１７）を径方向に位置ずれさせ３列に周方向に沿って多数形成した回転円板型の繰出し部材（１８）を備え、各列の透孔（１７）の通過箇所においてホッパ（１３）に３個の薬剤供給口（１９）を形成しており、薬剤供給口（１９）に対して回転方向に位置ずれした底板（２０）の部位に、落下孔（２１）を形成している。以上の薬剤供給口（１９）、透孔（１７）及び落下孔（２１）により、複数の落下案内経路（Ｓ）が構成されており、繰出し部材（１８）の縦向きの駆動軸（２３）と植付機構（９）とが連動連結されている。
　第５図及び第６図に示すように、左右のチェーンケース（８）により駆動される植付機構（９）の回転ケース（１０）の側部において、植付爪（１１）の両端に亘って架設されたブラケット（２４）の途中部位で横軸芯（Ｘ１）から偏芯した位置と、ガイド部材（１５）の前部下方のブラケット（２５）に枢支された天秤アーム（２６）の一端とを、押引ロッド（２７）を介して連結し、天秤アーム（２６）の一端とブラケット（２５）に枢支された揺動アーム（２８）とを、リンク（２９）を介して連結している。揺動アーム（２８）の揺動端と、駆動軸（２３）に取り付けられた一方向クラッチ（３０）とをワイヤ（３１）で連動連結し、回転ケース（１０）の回転に伴って繰出し部材（１８）を透孔（１７）のピッチ分だけ間欠的に回動させて、薬剤を繰出すように構成されている。このように駆動系を２系統備えることで、各条クラッチレバー（１２）の操作により部分条植付け状態を設定しても、常に薬剤の繰出しが行えるようにしている。
　落下案内経路（Ｓ）を介して落下した薬剤は、電動モータ（３２）により縦軸芯周りで高速で回転駆動される回転円板（３３）（回転体に相当）に達して、回転円板（３３）の上面に立設された回転羽根（３４）により跳ね飛ばされて、ガイド部材（１５）の内壁に沿って案内され、略全ての植付条に亘り拡散されて圃場面に散布される。
　第２図及び第４図に示すように、繰り出し部材（１８）の下面側に半径方向に沿って、底板（２０）との間に入り込んだ薬剤を掻き取るスクレーパ（３５）が備えられており、落下孔（２１）の上部にスクレーパ（３５）により掻き取られた薬剤を落下孔（２１）に案内する径方向に沿った溝（３６）が形成されている。
　各条クラッチレバー（１２）による部分条植付け状態への切換操作に連動して、薬剤供給口（１９）を閉じるシャッタ機構（３７）が備えられている。第２図及び第１図に示すように、ホッパ（１３）に形成した３個の薬剤供給口（１９）の下方の各々に、水平方向にスライド自在なシャッタ部材（３８）を備え、シャッタ部材（３８）をスプリング（３９）により開側に付勢し、シャッタ部材（３８）の各々と各条クラッチレバー（１２）とを、各別にワイヤ（４０）を介して連動連結している。
　以上の構造により、各条クラッチレバー（１２）のいずれかを操作して部分条植付け状態に切換操作すると、この切換操作に連動して各条クラッチレバー（１２）に対応するシャッタ部材（３８）が閉操作されて、薬剤の繰出し量（薬剤の散布量）が少なくなる。これにより、全条植付け状態及び部分条植付け状態の切換操作に際して、各条クラッチレバー（１２）を操作することのみによって、薬剤の散布量が植付条の数に適合した量に自動的に変更操作されて、煩わしい作業が不要となる。
［別実施例］
　第１０図及び第１１図に示すように底板（２０）において、繰出し部材（１８）に形成した３列の透孔（１７）の各々に対応する位置で、繰出し部材（１８）の周方向に沿って相互にずれた位置に、３個の落下孔（２１ａ），（２１ｂ），（２１ｃ）を形成する。各々の落下孔（２１ａ），（２１ｂ），（２１ｃ）は、平面視で回転羽根（３４）の回転軸芯（Ｙ）に対して右側方前方位置、右横側方位置及び右側方後方位置に形成されており、右側方前方位置の落下孔（２１ａ）から落下した薬剤は右側後方に向けて主に跳ね飛ばされ、右横側方位置の落下孔（２１ｂ）から落下した薬剤は中央後方に向けて主に跳ね飛ばされ、右側方後方位置の落下孔（２１ｃ）から落下した薬剤は左側後方に向けて主に跳ね飛ばされる。
　以上のように各薬剤供給口（１９）、透孔（１７）及び各落下孔（２１ａ），（２１ｂ），（２１ｃ）によって、複数の落下案内経路（Ｓ）を構成してもよい。このように構成すると、植付条の数に応じて適した散布量で薬剤を散布することができるのであり、薬剤の散布領域を、全条植付け状態においては略全ての植付条の領域に亘って設定し、部分条植付け状態においては植付条に対応する領域のみに設定することが可能となる。
　尚、特許請求の範囲の項に図面との対照を便利にするために符号を記すが、該記入により本発明は添付図面の構成に限定されるものではない。
【図面の簡単な説明】
　図面は本発明に係る田植機の薬剤散布構造の実施例を示し、第１図は薬剤散布装置の縦断側面図、第２図は第１図をＩＩ−ＩＩ方向から見た断面図、第３図は第１図をＩＩＩ−ＩＩＩ方向から見た断面図、第４図は薬剤散布装置における落下孔付近の縦断側面図、第５図は苗植付装置、施肥装置及び薬剤散布装置の側面図、第６図は苗植付装置、施肥装置及び薬剤散布装置の背面図、第７図は苗植付装置、施肥装置及び薬剤散布装置の平面図、第８図は田植機の全体側面図、第９図は田植機の全体平面図、第１０図は別実施例において薬剤散布装置の繰出し機構付近の横断平面図、第１１図は別実施例において薬剤散布装置の回転円板付近の横断平面図である。
　（５）……薬剤散布装置、（９）……植付機構、（１２）……人為操作具、（１３）……ホッパ、（１４）……繰出し機構、（１５）……ガイド部材、（３３）……回転体、（Ｃ）……クラッチ機構。